(57)【要約】    【課題】  省エネ制御部以外の電源をオフにする省エネモード時に、外部機器からのプリント要求に応じて電源をオンにして、安定状態になるとその旨を外部機器に通知してプリント処理を行う。    【解決手段】  省エネモード時、省エネ制御部が、ビジー信号ＢＵＳＹをオフとしていつでも外部機器２２からの命令を受け付け可能な状態としている。この状態で、外部機器２２からストローブ信号ＳＴＢとダミーのプリントデータが送信されてきて、ストローブ信号ＳＴＢがオンになると、ビジー信号ＢＵＳＹをオンにし、ファクシミリ装置の各部の電源をオンさせる（ステップＳｌ〜Ｓ３）。そして、初期化が完了するのを待って、ビジー信号ＢＵＳＹをオフとし、外部機器からプリントデータを受信して、通常状態と同様にプリントデータによる記録出力を行う（ステップＳ４〜Ｓ６）。【選択図】  図３
2006352914.tif 000002
【特許請求の範囲】
【請求項１】
所定のファクシミリ制御手順によりファクシミリ通信を行って、受信した画像データを記録紙に記録出力するとともに、外部機器に接続されて当該外部機器からのプリント要求に応じて当該外部機器から送信されてくるプリントデータに基づいて画像を前記記録紙に記録出力する前記記録手段と、消費電力を削減する省エネモード時に前記外部機器からの前記プリント要求を認識する省エネ制御手段と、を備えたファクシミリ装置であって、前記省エネモード時には、前記省エネ制御手段以外の電源をオフにして消費電力を削減し、当該省エネモード時に、前記省エネ制御手段が前記外部機器からの前記プリント要求を認識すると、前記ファクシミリ装置の各部の電源をオンにし、所定の安定状態になると、前記プリントデータの受信が可能である旨を前記外部機器に通知することを特徴とするファクシミリ装置。
【請求項２】
所定のファクシミリ制御手順によりファクシミリ通信を行って、受信した画像データを記録紙に記録出力するとともに、外部機器に接続されて当該外部機器からのプリント要求に応じて当該外部機器から送信されてくるプリントデータに基づいて画像を前記記録紙に記録出力する前記記録手段と、消費電力を削減する省エネモード時に前記外部機器からの前記プリント要求を認識する省エネ制御手段と、を備えたファクシミリ装置であって、前記省エネモード時には、前記省エネ制御手段以外の電源をオフにして消費電力を削減し、当該省エネモード時に、前記外部機器が前記プリント要求としてストローブ信号と所定のダミーデータを送信してくると、前記省エネ制御手段が当該ストローブ信号を認識し、当該外部機器にビジー信号を出力するとともに、前記ファクシミリ装置の各部の電源をオンにし、所定の安定状態になると、前記ビジー信号の出力を解除することを特徴とするファクシミリ装置。
【請求項３】
所定のファクシミリ制御手順によりファクシミリ通信を行って、受信した画像データを記録紙に記録出力するとともに、双方向インターフェースを介して外部機器に接続されて当該外部機器からのプリント要求に応じて当該外部機器から送信されてくるプリントデータに基づいて画像を前記記録紙に記録出力する前記記録手段と、消費電力を削減する省エネモード時に前記外部機器からの前記プリント要求を認識する省エネ制御手段と、を備えたファクシミリ装置であって、前記省エネモード時には、前記省エネ制御手段以外の電源をオフにして消費電力を削減し、当該省エネモード時に、前記外部機器が前記プリント要求としてウェイクアップコマンドを送信してくると、前記省エネ制御手段が、前記ファクシミリ装置の各部の電源をオンにし、前記外部機器からの前記ウェイクアップコマンドを認識して、所定の安定状態になると、前記外部機器にレディコマンドを出力することを特徴とするファクシミリ装置。
【請求項４】
所定のファクシミリ制御手順によりファクシミリ通信を行って、受信した画像データを記録紙に記録出力するとともに、双方向インターフェースを介して外部機器に接続されて当該外部機器からのプリント要求に応じて当該外部機器から送信されてくるプリントデータに基づいて画像を前記記録紙に記録出力する前記記録手段と、消費電力を削減する省エネモード時に前記外部機器からの前記プリント要求を認識する省エネ制御手段と、を備えたファクシミリ装置であって、前記省エネモード時には、前記省エネ制御手段以外の電源をオフにして消費電力を削減し、当該省エネモード時に、前記外部機器が前記プリント要求としてウェイクアップコマンドを送信してくると、前記省エネ制御手段が当該ウェイクアップコマンドを認識し、安定状態になるまでの間、当該外部機器に省エネモード中である旨を通知する通知データを出力するとともに、前記ファクシミリ装置の各部の電源をオンにし、所定の安定状態になると、前記外部機器にレディコマンドを出力することを特徴とするファクシミリ装置。
【発明の詳細な説明】
【技術分野】
【０００１】
本発明は、ファクシミリ装置に関し、詳細には、外部機器に接続され、外部機器からのセントロ信号等の制御信号によりプリンタとしても使用可能な記録手段と省エネモードを備えたファクシミリ装置に関する。
【背景技術】
【０００２】
【特許文献１】特開平９−９５４６３号公報。
【０００３】
近時、省エネ（省エネルギー）化が要望されており、ファクシミリ装置においても、受信待機中等に、記録部の加熱部等の高電力を消費する部分の電源をオフにして、消費電力を削減するファクシミリ装置が出現している。
【０００４】
このような省エネを行う従来のファクシミリ装置においては、省エネモードに入ると、オペレータが操作部で省エネモード解除操作を行うことにより、省エネモードを解除して、各部の電源をオンにする。
【０００５】
また、従来、電話回線からの呼出信号を検出すると、省エネモードを解除して、各部の電源をオンにするファクシミリ装置が提案されている（特許文献１参照）。
【発明の開示】
【発明が解決しようとする課題】
【０００６】
しかしながら、このような従来のファクシミリ装置にあっては、操作部の省エネモード解除操作あるいは回線からの呼出信号により、省エネモードを解除するようになっていたため、省エネモードを備えたファクシミリ装置の利用性が悪いという問題があった。
【０００７】
すなわち、近時、ファクシミリ装置は、高機能化しており、それに伴って、記録部の性能も向上し、ネットワーク化が行われて、ワードプロセッサやパーソナルコンピュータ等の外部機器に接続され、これらの外部機器のプリンタとして利用されるようになっている。
【０００８】
このようにファクシミリ装置が外部機器に接続されて、当該外部機器のプリンタとして利用される状況において、上記従来のファクシミリ装置のように、操作部の省エネモード解除操作や回線からの呼出信号により省エネモードを解除するだけでは、外部機器から省エネモードにあるファクシミリ装置を利用しようとすると、ファクシミリ装置の操作部により省エネ解除操作を行う必要があり、ファクシミリ装置の利用性が悪いという問題があった。
【０００９】
また、省エネは、従来、ファクシミリ装置やプリンタ等においては、加熱部分等の高電力を消費する部分の電源をオフするのみであったため、さらなる消費電力の削減が要望されている。
【００１０】
そこで、請求項１記載の発明は、外部機器からのプリント要求に応じて記録手段により当該外部機器からのプリントデータを記録出力するファクシミリ装置において、外部機器からのプリント要求を認識する省エネ制御手段以外の電源をオフにして消費電力を削減する省エネモード時に、省エネ制御手段が外部機器からのプリント要求を認識すると、ファクシミリ装置の各部の電源をオンにし、所定の安定状態になると、プリントデータの受信が可能である旨を外部機器に通知することにより、省エネモードにおいても外部機器からのプリント要求に応じて省エネモードを解除して、プリント可能状態とし、消費電力を大幅に削減しつつ、外部機器の記録手段としての利用性を向上させることのできるファクシミリ装置を提供することを目的としている。
【００１１】
請求項２記載の発明は、外部機器からのプリント要求に応じて記録手段により当該外部機器からのプリントデータを記録出力するファクシミリ装置において、外部機器からのプリント要求を認識する省エネ制御手段以外の電源をオフにして消費電力を削減する省エネモード時に、外部機器がプリント要求としてストローブ信号と所定のダミーデータを送信してくると、省エネ制御手段が当該ストローブ信号を認識し、当該外部機器にビジー信号を出力するとともに、ファクシミリ装置の各部の電源をオンにし、所定の安定状態になると、ビジー信号の出力を解除することにより、省エネモードにおいても外部機器からのプリント要求に応じて省エネモードを解除して、ビジー信号によりデータ通信上の信頼性を確保しつつ、プリント可能状態とし、消費電力をさらに大幅に削減しつつ、外部機器の記録手段としての利用性を向上させることのできるファクシミリ装置を提供することを目的としている。
【００１２】
請求項３記載の発明は、外部機器からのプリント要求に応じて記録手段により当該外部機器からのプリントデータを記録出力するファクシミリ装置において、外部機器からのプリント要求を認識する省エネ制御手段以外の電源をオフにして消費電力を削減する省エネモード時に、外部機器がプリント要求としてウェイクアップコマンドを送信してくると、省エネ制御手段が、ファクシミリ装置の各部の電源をオンにし、外部機器からのウェイクアップコマンドを認識して、所定の安定状態になると、外部機器にレディコマンドを出力することにより、省エネモードにおいても外部機器からのプリント要求に応じて省エネモードを解除して、レディコマンドによりデータ通信上の信頼性を確保しつつプリントを可能とし、消費電力を大幅に削減しつつ、外部機器の記録手段としての利用性をより向上させることのできるファクシミリ装置を提供することを目的としている。
【００１３】
請求項４記載の発明は、外部機器からのプリント要求に応じて記録手段により当該外部機器からのプリントデータを記録出力するファクシミリ装置において、外部機器からのプリント要求を認識する省エネ制御手段以外の電源をオフにして消費電力を削減する省エネモード時に、外部機器がプリント要求としてウェイクアップコマンドを送信してくると、省エネ制御手段が当該ウェイクアップコマンドを認識し、安定状態になるまでの間、当該外部機器に省エネモード中である旨を通知する通知データを出力するとともに、ファクシミリ装置の各部の電源をオンにし、所定の安定状態になると、外部機器にレディコマンドを出力することにより、省エネモードにおいても外部機器からのプリント要求に応じて省エネモードを解除して、レディコマンドによりデータ通信上の信頼性をより一層確保しつつプリントを可能とするとともに、外部機器に省エネモードから通常モードへ移行中であることを通知し、消費電力を大幅に削減しつつ、外部機器の記録手段としての利用性をより一層向上させることのできるファクシミリ装置を提供することを目的としている。
【課題を解決するための手段】
【００１４】
請求項１記載の発明のファクシミリ装置は、所定のファクシミリ制御手順によりファクシミリ通信を行って、受信した画像データを記録紙に記録出力するとともに、外部機器に接続されて当該外部機器からのプリント要求に応じて当該外部機器から送信されてくるプリントデータに基づいて画像を前記記録紙に記録出力する前記記録手段と、消費電力を削減する省エネモード時に前記外部機器からの前記プリント要求を認識する省エネ制御手段と、を備えたファクシミリ装置であって、前記省エネモード時には、前記省エネ制御手段以外の電源をオフにして消費電力を削減し、当該省エネモード時に、前記省エネ制御手段が前記外部機器からの前記プリント要求を認識すると、前記ファクシミリ装置の各部の電源をオンにし、所定の安定状態になると、前記プリントデータの受信が可能である旨を前記外部機器に通知することにより、上記目的を達成している。
【００１５】
請求項２記載の発明のファクシミリ装置は、所定のファクシミリ制御手順によりファクシミリ通信を行って、受信した画像データを記録紙に記録出力するとともに、外部機器に接続されて当該外部機器からのプリント要求に応じて当該外部機器から送信されてくるプリントデータに基づいて画像を前記記録紙に記録出力する前記記録手段と、消費電力を削減する省エネモード時に前記外部機器からの前記プリント要求を認識する省エネ制御手段と、を備えたファクシミリ装置であって、前記省エネモード時には、前記省エネ制御手段以外の電源をオフにして消費電力を削減し、当該省エネモード時に、前記外部機器が前記プリント要求としてストローブ信号と所定のダミーデータを送信してくると、前記省エネ制御手段が当該ストローブ信号を認識し、当該外部機器にビジー信号を出力するとともに、前記ファクシミリ装置の各部の電源をオンにし、所定の安定状態になると、前記ビジー信号の出力を解除することにより、上記目的を達成している。
【００１６】
請求項３記載の発明のファクシミリ装置は、所定のファクシミリ制御手順によりファクシミリ通信を行って、受信した画像データを記録紙に記録出力するとともに、双方向インターフェースを介して外部機器に接続されて当該外部機器からのプリント要求に応じて当該外部機器から送信されてくるプリントデータに基づいて画像を前記記録紙に記録出力する前記記録手段と、消費電力を削減する省エネモード時に前記外部機器からの前記プリント要求を認識する省エネ制御手段と、を備えたファクシミリ装置であって、前記省エネモード時には、前記省エネ制御手段以外の電源をオフにして消費電力を削減し、当該省エネモード時に、前記外部機器が前記プリント要求としてウェイクアップコマンドを送信してくると、前記省エネ制御手段が、前記ファクシミリ装置の各部の電源をオンにし、前記外部機器からの前記ウェイクアップコマンドを認識して、所定の安定状態になると、前記外部機器にレディコマンドを出力することにより、上記目的を達成している。
【００１７】
請求項４記載の発明のファクシミリ装置は、所定のファクシミリ制御手順によりファクシミリ通信を行って、受信した画像データを記録紙に記録出力するとともに、双方向インターフェースを介して外部機器に接続されて当該外部機器からのプリント要求に応じて当該外部機器から送信されてくるプリントデータに基づいて画像を前記記録紙に記録出力する前記記録手段と、消費電力を削減する省エネモード時に前記外部機器からの前記プリント要求を認識する省エネ制御手段と、を備えたファクシミリ装置であって、前記省エネモード時には、前記省エネ制御手段以外の電源をオフにして消費電力を削減し、当該省エネモード時に、前記外部機器が前記プリント要求としてウェイクアップコマンドを送信してくると、前記省エネ制御手段が当該ウェイクアップコマンドを認識し、安定状態になるまでの間、当該外部機器に省エネモード中である旨を通知する通知データを出力するとともに、前記ファクシミリ装置の各部の電源をオンにし、所定の安定状態になると、前記外部機器にレディコマンドを出力することにより、上記目的を達成している。
【発明の効果】
【００１８】
請求項１に記載の構成によれば、外部機器からのプリント要求に応じて記録手段により当該外部機器からのプリントデータを記録出力するファクシミリ装置において、外部機器からのプリント要求を認識する省エネ制御手段以外の電源をオフにして消費電力を削減する省エネモード時に、省エネ制御手段が外部機器からのプリント要求を認識すると、ファクシミリ装置の各部の電源をオンにし、所定の安定状態になると、プリントデータの受信が可能である旨を外部機器に通知するので、省エネモードにおいても外部機器からのプリント要求に応じて省エネモードを解除して、プリント可能状態とすることができ、消費電力を大幅に削減することができるとともに、外部機器の記録手段としての利用性を向上させることができる。
【００１９】
請求項２に記載の構成によれば、外部機器からのプリント要求に応じて記録手段により当該外部機器からのプリントデータを記録出力するファクシミリ装置において、外部機器からのプリント要求を認識する省エネ制御手段以外の電源をオフにして消費電力を削減する省エネモード時に、外部機器がプリント要求としてストローブ信号と所定のダミーデータを送信してくると、省エネ制御手段が当該ストローブ信号を認識し、当該外部機器にビジー信号を出力するとともに、ファクシミリ装置の各部の電源をオンにし、所定の安定状態になると、ビジー信号の出力を解除するので、省エネモードにおいても外部機器からのプリント要求に応じて省エネモードを解除して、ビジー信号によりデータ通信上の信頼性を確保することができるとともに、プリント可能状態とすることができ、消費電力を大幅に削減することができるとともに、外部機器の記録手段としての利用性を向上させることができる。
【００２０】
請求項３に記載の構成によれば、外部機器からのプリント要求に応じて記録手段により当該外部機器からのプリントデータを記録出力するファクシミリ装置において、外部機器からのプリント要求を認識する省エネ制御手段以外の電源をオフにして消費電力を削減する省エネモード時に、外部機器がプリント要求としてウェイクアップコマンドを送信してくると、省エネ制御手段が、ファクシミリ装置の各部の電源をオンにし、外部機器からのウェイクアップコマンドを認識して、所定の安定状態になると、外部機器にレディコマンドを出力するので、省エネモードにおいても外部機器からのプリント要求に応じて省エネモードを解除して、レディコマンドによりデータ通信上の信頼性を確保しつつプリントを可能とすることができ、消費電力を大幅に削減することができるとともに、外部機器の記録手段としての利用性をより向上させることができる。
【００２１】
請求項４に記載の構成によれば、外部機器からのプリント要求に応じて記録手段により当該外部機器からのプリントデータを記録出力するファクシミリ装置において、外部機器からのプリント要求を認識する省エネ制御手段以外の電源をオフにして消費電力を削減する省エネモード時に、外部機器がプリント要求としてウェイクアップコマンドを送信してくると、省エネ制御手段が当該ウェイクアップコマンドを認識し、安定状態になるまでの間、当該外部機器に省エネモード中である旨を通知する通知データを出力するとともに、ファクシミリ装置の各部の電源をオンにし、所定の安定状態になると、外部機器にレディコマンドを出力するので、省エネモードにおいても外部機器からのプリント要求に応じて省エネモードを解除して、レディコマンドによりデータ通信上の信頼性をより一層確保しつつプリントを可能とするとともに、外部機器に省エネモードから通常モードへの移行中であることを通知することができ、消費電力を大幅に削減することができるとともに、外部機器の記録手段としての利用性をより一層向上させることができる。
【発明を実施するための最良の形態】
【００２２】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【実施例１】
【００２３】
図１〜図４は、本発明のファクシミリ装置の一実施の形態を示す図であり、図１は、本発明のファクシミリ装置の一実施の形態を適用したファクシミリ装置１の回路ブロック図である。
【００２４】
図１において、ファクシミリ装置１は、スキャナ２、操作表示部３、符号化・復号化部４、システム制御部５、モデム６、通信制御部７、網制御部８、ハンドセット９、プロッタ制御部１０、プロッタ１１、プリンタＩ／Ｆ１２及び省エネ制御部１３等を備えており、上記スキャナ２、操作表示部３、符号化・復号化部４、システム制御部５、モデム６、通信制御部７、網制御部８、プリンタ制御部１０及びプリンタＩ／Ｆ１２は、バス１４により接続されている。
【００２５】
スキャナ２は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつスキャナ２の原稿読取位置に送給する。スキャナ２は、ＡＤＦから搬送されてきた原稿を走査し、原稿の画像を所定の解像度で読み取る。
【００２６】
操作表示部３は、テンキーやスタートキー等の各種操作キー、特に、省エネ解除キーを備えるとともに、ディスプレイ（例えば、液晶ディスプレイ）を備え、操作キーからは、送信操作等の各種命令が入力され、ディスプレイには、操作キーから入力された命令内容やファクシミリ装置１からオペレータに通知する各種情報が表示される。
【００２７】
符号化・復号化部４は、画像データの画像メモリへの蓄積の効率化及び伝送時間の短縮化を図るためのものであり、所定の符号化方式に従って画像データを符号化し、また、符号化された画像データを復号化する。
【００２８】
システム制御部５は、ＣＰＵ（Central Processing Unit）、ＲＯＭ（Read Only Memory ）およびＲＡＭ（Random Access Memory ）等を備えており、ＲＯＭ内にはファクシミリ装置１としての基本プログラムや後述する省エネ制御処理プログラム等が格納されている。システム制御部５は、そのＲＯＭ内のプログラムに従ってファクシミリ装置１の各部を制御して、ファクシミリ装置１としてのシーケンスを実行するとともに、後述する省エネ制御処理を実行する。すなわち、システム制御部５は、所定の待機時、例えば、受信待機時等に省エネモードに入って、省エネ制御部１３以外の電源をオフにし、この省エネモード時に、省エネ制御部１３からの信号や操作表示部３の省エネ解除キーのキー操作により、省エネモードを解除して、ファクシミリ装置１の各部の電源をオンにする。
【００２９】
モデム６は、システム制御部５の制御下で動作して、送信信号の変調及び受信信号の復調を行い、通信制御部７は、相手ファクシミリ装置との間でファクシミリ制御信号を交換し、ファクシミリ通信手順を実行する。
【００３０】
網制御部８には、ハンドセット９と回線Ｌ、例えば、一般公衆回線が接続されており、網制御部８は、ハンドセット９と回線Ｌとの切り換えを行って、ハンドセット９による相手先との通話を可能にするとともに、回線Ｌからの発呼に対して自動着呼し、また、回線Ｌへの自動発呼処理を行う。
【００３１】
プロッタ制御部１０は、システム制御部５の制御下でプロッタ１１の動作を制御し、特に、ファクシミリデータ用と外部プリンタ用の制御信号の選択及び発生を行う。
【００３２】
プロッタ（記録手段）１１は、例えば、電子写真式記録装置が使用されており、プロッタ１１は、受信画像データやスキャナ２で読み取った画像データを所定の解像度で記録紙に記録出力し、また、外部機器２２のプリンタとしてセントロ信号に基づいて、外部機器２２から送信されてくるデータを記録紙に記録出力する。
【００３３】
プリンタＩ／Ｆ１２は、省エネ制御部１３を介して、外部機器２２からのプリント信号を受け取り、また、外部機器２２にファクシミリ装置１の状態を知らせる信号を送信するとともに、システム制御部５とともに外部機器２２からのプリント信号を画像データに変換する。プリンタＩ／Ｆ１２としては、例えば、双方向セントロニクスが使用されている。
【００３４】
省エネ制御部（省エネ制御手段）１３は、図２に示すように、マルチプレクサ（ＭＰＸ）２０、データデコーダ／ジェネレータ２１及びプルダウン抵抗Ｒｐ等を備えており、省エネ制御部１３のマルチプレクサ２０には、所定の信号線、例えば、セントロニクス規格の信号線で外部機器２２、例えば、ワードプロセッサやパーソナルコンピュータ等の情報機器が接続され、省エネ制御部１３は、システム制御部５及び外部機器２２との間で信号の授受を行って、省エネ制御処理を行う。
【００３５】
すなわち、省エネ制御部１３は、マルチプレクサ２０が、外部機器２２からストローブ信号ＳＴＢやウェイクアップ信号ＷＵ等の各種制御信号やプリントデータ（印刷データ）等の通信信号１を受信し、受信した通信信号１を、プリンタＩ／Ｆ１２及びデータデコーダ／ジェネレータ２１に振り分けて、通信信号２及び通信信号３として出力する。データデコーダ／ジェネレータ２１は、マルチプレクサ２０から入力される通信信号３からストローブ信号ＳＴＢやウェイクアップコマンドを判定して、省エネモード時には、ビジー信号ＢＵＳＹや省エネ中であることを示す通知データを通信信号３としてマルチプレクサ２０に出力するとともに、省エネモードを解除してファクシミリ装置１の各部の電源をオンにするためのウェイクアップ信号ＷＵをシステム制御部５に出力する。システム制御部５は、省エネモードではない通常モードでハイ（Ｈ）となり、省エネモード時には、プルダウン抵抗Ｒｐによりロー（Ｌ）となる切換信号ＳＷをマルチプレクサ２０に出力する。そして、マルチプレクサ２０は、切換信号ＳＷがハイであるか、ローであるか、すなわち、通常モードであるか、省エネモードであるかにより、外部機器２２との信号経路をプリンタＩ／Ｆ１２とデータデコーダ／ジェネレータ２１とに切り換え、通常モード時には、外部機器２２とプリンタＩ／Ｆ１２を接続し、省エネモード時には、外部機器２２とデータデコーダ／ジェネレータ２１を接続する。
【００３６】
次に、本実施の形態の作用を説明する。ファクシミリ装置１は、外部機器２２が接続され、そのプロッタ１１を外部機器２２のプリンタとして使用可能であるとともに、受信待機中等の所定の時期に省エネ制御部１３以外の電源をオフにして、外部機器２２からストローブ信号ＳＴＢやウェイクアップコマンド等のプリント要求があると、各部の電源をオンにするとともに、電源がオンされて安定状態となったときに、その旨の信号を外部機器２２に通知するところにその特徴がある。
【００３７】
以下、この省エネ制御処理について、図３及び図４に基づいて説明する。まず、ストローブ信号ＳＴＢとダミーのプリントデータが外部機器２２から送信されてきたとき、電源をオンにして安定するまでオンのビジー信号ＢＵＳＹを外部機器２２に出力する省エネ制御処理（プリント要求受付処理）について、図３に基づいて説明する。
【００３８】
ファクシミリ装置１は、受信待機中等の所定の時期に省エネ制御部１３以外の主要部の電源をオフにする省エネモードに入り、消費電源の節約を行う。
【００３９】
システム制御部５は、通常モードにおいては、図２に示したように、省エネ制御部１３のマルチプレクサ２０にハイの切換信号ＳＷを出力し、マルチプレクサ２０は、外部機器２２からの通信信号１を通信信号２としてプリンタＩ／Ｆ１２に出力し、外部機器２２からプリント要求であるストローブ信号ＳＴＢとプリントデータがあると、当該プリント要求に応じて、外部機器２２から送られてくるプリントデータをシステム制御部５とプリンタＩ／Ｆ１２により画像データに変換し、プロッタ制御部１０に転送してプロッタ１１により記録紙に記録出力する。
【００４０】
そして、通常モードから省エネモードに入ると、システム制御部５は、システム制御部１３に出力していた切換信号ＳＷをローにし、マルチプレクサ２０は、切換信号ＳＷがローになると、外部機器２２から入力される通信信号１をデータデコーダ／ジェネレータ２１に通信信号３として出力する。
【００４１】
この省エネモードにおいて、省エネ制御部１３は、ビジー信号ＢＵＳＹをオフ、すなわち、レディ（ＲＥＡＤＹ）状態として、いつでも外部機器２２からの命令を受け付け可能な状態としている。この状態で、図３に示すように、外部機器２２からストローブ信号ＳＴＢとダミーのプリントデータが送信されてきて、ストローブ信号ＳＴＢがオンになると（ステップＳ１）、省エネ制御部１３は、データデコーダ／ジェネレータ２１がこのオンのストローブ信号ＳＴＢを判別して、ビジー信号ＢＵＳＹをオン、すなわち、ビジー（ＢＵＳＹ）状態にし（ステップＳ２）、ファクシミリ装置１の各部の電源をオンさせる（ステップＳ３）。すなわち、省エネ制御部１３は、システム制御部５にウェイクアップ信号ＷＵを出力し、システム制御部５にファクシミリ装置１の各部の電源をオンさせる。なお、外部機器２２は、ファクシミリ装置１にプリント要求を行う場合、最初のデータは、ダミーデータの書き込み（ダミーライト）を行う。
【００４２】
その後、省エネ制御部１３は、ファクシミリ装置１の初期化（システムの初期化）が完了したかチェックし（ステップＳ４）、初期化が完了していないときには、初期化が完了するのを待って、ビジー信号ＢＵＳＹをオフ、すなわち、レディ（ＲＥＡＤＹ）状態とし、外部機器２２からプリントデータを受信して、上記通常状態と同様に、プリントデータによる記録出力を行う（ステップＳ６）。
【００４３】
したがって、ファクシミリ装置１のプロッタ１１をプリンタとして利用する外部機器２２にとって、ファクシミリ装置１が省エネモードにあるときにも、ファクシミリ装置１を通常モードにモード切換させるとともに、ファクシミリ装置１からのビジー信号ＢＵＳＹにより、ファクシミリ装置１が安定して記録準備が完了したことを認識するとこができ、省エネモードにある場合にも、操作性を損なうことなく、ファクシミリ装置１を利用して適切に記録出力を行うことができる。その結果、ファクシミリ装置１の利用性を向上させることができる。そして、この省エネモードにおいては、ファクシミリ装置１は、省エネ制御部１３のみに電力を供給し、その他の各部への電力供給をオフにすることができ、大幅に消費電力を削減することができる。
【００４４】
次に、ウェイクアップ信号が外部機器２２から送信されてきたとき、電源をオンにして安定するまで、省エネ中である旨の通知データを外部機器２２に出力する省エネ制御処理（プリント要求受付処理）について、図４に基づいて説明する。
【００４５】
システム制御部５は、通常モードにおいては、上記同様に、図２に示したように、省エネ制御部１３のマルチプレクサ２０にハイの切換信号ＳＷを出力し、マルチプレクサ２０は、外部機器２２からの通信信号１を通信信号２としてプリンタＩ／Ｆ１２に出力し、外部機器２２からプリント要求としてストローブ信号とウェイクアップコマンドが入力されると、当該プリント要求に応じて、外部機器２２から送られてくる印刷データをプロッタ制御部１０に転送してプロッタ１１により記録紙に記録出力する。
【００４６】
そして、通常モードから省エネモードに入ると、システム制御部５は、システム制御部１３に出力していた切換信号ＳＷをローにし、マルチプレクサ２０は、切換信号ＳＷがローになると、外部機器２２から入力される通信信号１をデータデコーダ／ジェネレータ２１に通信信号３として出力する。
【００４７】
この省エネモードにおいて、省エネ制御部１３は、ビジー信号ＢＵＳＹをオフ、すなわち、レディ（ＲＥＡＤＹ）状態として、いつでも外部機器２２からの命令を受け付け可能な状態としている。この状態で、図４に示すように、プリント要求としてストローブ信号とウェイクアップコマンドが入力されると（ステップＰ１）、省エネ制御部１３は、データデコーダ／ジェネレータ２１によりウェイクアップコマンドを認識して、省エネ中であることを示す通知データをマルチプレクサ２０を介して外部機器２２に出力し（ステップＰ２）、ファクシミリ装置１の各部の電源をオンさせる（ステップＰ３）。すなわち、省エネ制御部１３は、システム制御部５にウェイクアップ信号ＷＵを出力し、システム制御部５にファクシミリ装置１の各部の電源をオンさせる。
【００４８】
その後、省エネ制御部１３は、ファクシミリ装置１の初期化（システムの初期化）が完了したかチェックし（ステップＰ４）、初期化が完了していないときには、ウェイクアップコマンドが入力されたかチェックする（ステップＰ５）。
【００４９】
ステップＰ５で、ウェイクアップコマンドがないときには、ステップＰ４に戻って、システムの初期化が完了したチェックし（ステップＰ４）、初期化が完了していないときには、上記同様に、ウェイクアップコマンドが入力されたかチェックする（ステップＰ５）。この省エネモードから通常モードへの移行途中であるステップＰ５で、ウェイクアップコマンドが入力されると、当該ウェイクアップコマンドを送信してきた外部機器２２に省エネ中である旨のデータを出力し（ステップＰ６）、ステップＰ４に戻って、システムの初期化が完了したかチェックする（ステップＰ４）。
【００５０】
ステップＰ５で、ウェイクアップコマンドが入力されたかをチェックしているのは、省エネモードから通常モードへの移行中にウェイクアップコマンドが入力された場合に、当該ウェイクアップコマンドを送ってきた外部機器２２に省エネモード中であり、システムの初期化が完了するまで待機することを適切に通知するためである。
【００５１】
ステップＰ４で、システムの初期化が完了すると、省エネ制御部１３は、外部機器２２にレディコマンドを送信し（ステップＰ７）、外部機器２２からプリントデータを受信して、上記通常状態と同様に、プリントデータによる記録出力を行う（ステップＰ８）。
【００５２】
したがって、外部機器２２からのプリント要求を認識する省エネ制御部１３以外の電源をオフにして消費電力を削減する省エネモード時に、外部機器２２がプリント要求としてウェイクアップコマンドを送信してくると、省エネ制御部１３が、ファクシミリ装置１の各部の電源をオンにし、外部機器２２からのウェイクアップコマンドを認識して、所定の安定状態になると、外部機器２２にレディコマンドを出力することができ、省エネモードにおいても外部機器２２からのプリント要求に応じて省エネモードを解除して、レディコマンドによりデータ通信上の信頼性を確保しつつプリントを可能とすることができる。したがって、消費電力を大幅に削減することができるとともに、外部機器２２の記録手段としての利用性をより向上させることができる。
【００５３】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５４】
例えば、上記図４においては、省エネ制御部１３のデータデコーダ／ジェネレータ２１がウェイクアップコマンドを認識したときに、省エネモードから通常モードに移行するようにしているが、これに限るものではなく、例えば、ウェイクアップコマンドとともに送信されてくるストローブ信号を認識して省エネモードから通常モードに移行し、ウェイクアップコマンドをシステム制御部５が認識し、安定状態になると、上記レディコマンドを送信するようにしてもよい。このようにすると、データデコーダ／ジェネレータ２１を簡単な構造のものとすることができるとともに、省エネモード時にウェイクアップコマンドを認識するための部分に電力を供給する必要がなく、より一層消費電力を削減することができる。
【００５５】
また、上記実施の形態においては、ファクシミリ装置に適用した場合について説明したが、ファクシミリ装置に限るものではなく、例えば、プリンタ装置単体、複写装置及びファクシミリ、スキャナやコピー機能等を備えた複合装置等にも同様に適用することができる。
【図面の簡単な説明】
【００５６】
【図１】本発明のファクシミリ装置の一実施の形態を適用したファクシミリ装置の回路ブロック図。
【図２】図１の省エネ制御部の詳細な回路図。
【図３】図１のファクシミリ装置によるストローブ信号による省エネモード時のプリント要求受付処理を示すフローチャート。
【図４】図１のファクシミリ装置によるウェイクアップコマンドによる省エネモード時のプリント要求受付処理を示すフローチャート。
【符号の説明】
【００５７】
１  ファクシミリ装置
２  スキャナ
３  操作表示部
４  符号化・復号化部
５  システム制御部
６  モデム
７  通信制御部
８  網制御部
９  ハンドセット
１０  プロッタ制御部
１１  プロッタ
１２  プリンタＩ／Ｆ
１３  省エネ制御部
１４  バス
２０  マルチプレクサ（ＭＰＸ）
２１  データデコーダ／ジェネレータ
２２  外部機器
Ｒｐ  プルダウン抵抗
【図１】
2006352914.tif 000003
【図２】
2006352914.tif 000004
【図３】
2006352914.tif 000005
【図４】
2006352914.tif 000006
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
画像を記録出力する画像記録手段の省エネを制御する省エネ制御装置において、
前記画像記録手段が省エネ状態のときに、外部機器からの画像記録要求に基づいて前記画像記録手段の各部の電源をオンにする一方、前記画像記録手段が所定の安定状態になったときにその旨を前記外部機器に通知することを特徴とする省エネ制御装置。
【請求項２】
画像を記録出力する画像記録手段の省エネを制御する省エネ制御装置において、
前記画像記録手段が省エネモードのときに、外部機器からの画像記録要求に基づいて省エネモードを解除する一方、前記画像記録手段が所定の安定状態になったときにその旨を前記外部機器に通知することを特徴とする省エネ制御装置。
【請求項３】
画像を記録出力する画像記録手段の省エネを制御する省エネ制御装置において、
前記画像記録手段が省エネ状態のときに、外部機器からの画像記録要求に基づいてビジー状態または省エネ状態であることを前記外部機器に通知するとともに前記画像記録手段の各部の電源をオンにし、前記画像記録手段が所定の安定状態になったときにその旨を前記外部機器に通知することを特徴とする省エネ制御装置。
【請求項４】
画像を記録出力する画像記録手段の省エネを制御する省エネ制御装置において、
前記画像記録手段が省エネモードのときに、外部機器からの画像記録要求に基づいてビジー状態または省エネモードであることを前記外部機器に通知するとともに省エネモードを解除し、前記画像記録手段が所定の安定状態になったときにその旨を前記外部機器に通知することを特徴とする省エネ制御装置。
【手続補正２】
【補正対象書類名】明細書
【補正対象項目名】全文
【補正方法】変更
【補正の内容】
【発明の詳細な説明】
【技術分野】
【０００１】
本発明は、省エネ制御装置に関し、詳細には、外部機器に接続され、外部機器からのセントロ信号等の制御信号によりプリンタとしても使用可能な記録手段と省エネモードを備えたファクシミリの省エネ制御装置に関する。
【背景技術】
【０００２】
【特許文献１】特開平９−９５４６３号公報。
【０００３】
近時、省エネ（省エネルギー）化が要望されており、ファクシミリ装置においても、受信待機中等に、記録部の加熱部等の高電力を消費する部分の電源をオフにして、消費電力を削減するファクシミリ装置が出現している。
【０００４】
このような省エネを行う従来のファクシミリ装置においては、省エネモードに入ると、オペレータが操作部で省エネモード解除操作を行うことにより、省エネモードを解除して、各部の電源をオンにする。
【０００５】
また、従来、電話回線からの呼出信号を検出すると、省エネモードを解除して、各部の電源をオンにするファクシミリ装置が提案されている（特許文献１参照）。
【発明の開示】
【発明が解決しようとする課題】
【０００６】
しかしながら、このような従来のファクシミリ装置にあっては、操作部の省エネモード解除操作あるいは回線からの呼出信号により、省エネモードを解除するようになっていたため、省エネモードを備えたファクシミリ装置の利用性が悪いという問題があった。
【０００７】
すなわち、近時、ファクシミリ装置は、高機能化しており、それに伴って、記録部の性能も向上し、ネットワーク化が行われて、ワードプロセッサやパーソナルコンピュータ等の外部機器に接続され、これらの外部機器のプリンタとして利用されるようになっている。
【０００８】
このようにファクシミリ装置が外部機器に接続されて、当該外部機器のプリンタとして利用される状況において、上記従来のファクシミリ装置のように、操作部の省エネモード解除操作や回線からの呼出信号により省エネモードを解除するだけでは、外部機器から省エネモードにあるファクシミリ装置を利用しようとすると、ファクシミリ装置の操作部により省エネ解除操作を行う必要があり、ファクシミリ装置の利用性が悪いという問題があった。
【０００９】
また、省エネは、従来、ファクシミリ装置やプリンタ等においては、加熱部分等の高電力を消費する部分の電源をオフするのみであったため、さらなる消費電力の削減が要望されている。
【００１０】
そこで、本発明は、省エネモードにおいても外部機器からのプリント要求に応じて省エネモードを解除して、プリント可能状態とし、消費電力を大幅に削減しつつ、外部機器の記録手段としての利用性を向上させることを目的としている。
【課題を解決するための手段】
【００１１】
請求項１記載の発明の省エネ制御装置は、画像を記録出力する画像記録手段の省エネを制御する省エネ制御装置において、
前記画像記録手段が省エネ状態のときに、外部機器からの画像記録要求に基づいて前記画像記録手段の各部の電源をオンにする一方、前記画像記録手段が所定の安定状態になったときにその旨を前記外部機器に通知することを特徴とする。
【００１２】
請求項２記載の発明の省エネ制御装置は、画像を記録出力する画像記録手段の省エネを制御する省エネ制御装置において、
前記画像記録手段が省エネモードのときに、外部機器からの画像記録要求に基づいて省エネモードを解除する一方、前記画像記録手段が所定の安定状態になったときにその旨を前記外部機器に通知することを特徴とする。
【００１３】
請求項３記載の発明の省エネ制御装置は、画像を記録出力する画像記録手段の省エネを制御する省エネ制御装置において、
前記画像記録手段が省エネ状態のときに、外部機器からの画像記録要求に基づいてビジー状態または省エネ状態であることを前記外部機器に通知するとともに前記画像記録手段の各部の電源をオンにし、前記画像記録手段が所定の安定状態になったときにその旨を前記外部機器に通知することを特徴とする。
【００１４】
請求項４記載の発明の省エネ制御装置は、画像を記録出力する画像記録手段の省エネを制御する省エネ制御装置において、
前記画像記録手段が省エネモードのときに、外部機器からの画像記録要求に基づいてビジー状態または省エネモードであることを前記外部機器に通知するとともに省エネモードを解除し、前記画像記録手段が所定の安定状態になったときにその旨を前記外部機器に通知することを特徴とする。
【発明の効果】
【００１５】
消費電力を大幅に削減することができるとともに、外部機器の記録手段としての利用性を向上させることができる。
【発明を実施するための最良の形態】
【００１６】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【実施例１】
【００１７】
図１〜図４は、本発明の一実施の形態を示す図であり、図１は、一実施の形態を適用したファクシミリ装置１の回路ブロック図である。
【００１８】
図１において、ファクシミリ装置１は、スキャナ２、操作表示部３、符号化・復号化部４、システム制御部５、モデム６、通信制御部７、網制御部８、ハンドセット９、プロッタ制御部１０、プロッタ１１、プリンタＩ／Ｆ１２及び省エネ制御部１３等を備えており、上記スキャナ２、操作表示部３、符号化・復号化部４、システム制御部５、モデム６、通信制御部７、網制御部８、プリンタ制御部１０及びプリンタＩ／Ｆ１２は、バス１４により接続されている。
【００１９】
スキャナ２は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつスキャナ２の原稿読取位置に送給する。スキャナ２は、ＡＤＦから搬送されてきた原稿を走査し、原稿の画像を所定の解像度で読み取る。
【００２０】
操作表示部３は、テンキーやスタートキー等の各種操作キー、特に、省エネ解除キーを備えるとともに、ディスプレイ（例えば、液晶ディスプレイ）を備え、操作キーからは、送信操作等の各種命令が入力され、ディスプレイには、操作キーから入力された命令内容やファクシミリ装置１からオペレータに通知する各種情報が表示される。
【００２１】
符号化・復号化部４は、画像データの画像メモリへの蓄積の効率化及び伝送時間の短縮化を図るためのものであり、所定の符号化方式に従って画像データを符号化し、また、符号化された画像データを復号化する。
【００２２】
システム制御部５は、ＣＰＵ（Central Processing Unit）、ＲＯＭ（Read Only Memory ）およびＲＡＭ（Random Access Memory ）等を備えており、ＲＯＭ内にはファクシミリ装置１としての基本プログラムや後述する省エネ制御処理プログラム等が格納されている。システム制御部５は、そのＲＯＭ内のプログラムに従ってファクシミリ装置１の各部を制御して、ファクシミリ装置１としてのシーケンスを実行するとともに、後述する省エネ制御処理を実行する。すなわち、システム制御部５は、所定の待機時、例えば、受信待機時等に省エネモードに入って、省エネ制御部１３以外の電源をオフにし、この省エネモード時に、省エネ制御部１３からの信号や操作表示部３の省エネ解除キーのキー操作により、省エネモードを解除して、ファクシミリ装置１の各部の電源をオンにする。
【００２３】
モデム６は、システム制御部５の制御下で動作して、送信信号の変調及び受信信号の復調を行い、通信制御部７は、相手ファクシミリ装置との間でファクシミリ制御信号を交換し、ファクシミリ通信手順を実行する。
【００２４】
網制御部８には、ハンドセット９と回線Ｌ、例えば、一般公衆回線が接続されており、網制御部８は、ハンドセット９と回線Ｌとの切り換えを行って、ハンドセット９による相手先との通話を可能にするとともに、回線Ｌからの発呼に対して自動着呼し、また、回線Ｌへの自動発呼処理を行う。
【００２５】
プロッタ制御部１０は、システム制御部５の制御下でプロッタ１１の動作を制御し、特に、ファクシミリデータ用と外部プリンタ用の制御信号の選択及び発生を行う。
【００２６】
プロッタ（記録手段）１１は、例えば、電子写真式記録装置が使用されており、プロッタ１１は、受信画像データやスキャナ２で読み取った画像データを所定の解像度で記録紙に記録出力し、また、外部機器２２のプリンタとしてセントロ信号に基づいて、外部機器２２から送信されてくるデータを記録紙に記録出力する。
【００２７】
プリンタＩ／Ｆ１２は、省エネ制御部１３を介して、外部機器２２からのプリント信号を受け取り、また、外部機器２２にファクシミリ装置１の状態を知らせる信号を送信するとともに、システム制御部５とともに外部機器２２からのプリント信号を画像データに変換する。プリンタＩ／Ｆ１２としては、例えば、双方向セントロニクスが使用されている。
【００２８】
省エネ制御部（省エネ制御手段）１３は、図２に示すように、マルチプレクサ（ＭＰＸ）２０、データデコーダ／ジェネレータ２１及びプルダウン抵抗Ｒｐ等を備えており、省エネ制御部１３のマルチプレクサ２０には、所定の信号線、例えば、セントロニクス規格の信号線で外部機器２２、例えば、ワードプロセッサやパーソナルコンピュータ等の情報機器が接続され、省エネ制御部１３は、システム制御部５及び外部機器２２との間で信号の授受を行って、省エネ制御処理を行う。
【００２９】
すなわち、省エネ制御部１３は、マルチプレクサ２０が、外部機器２２からストローブ信号ＳＴＢやウェイクアップ信号ＷＵ等の各種制御信号やプリントデータ（印刷データ）等の通信信号１を受信し、受信した通信信号１を、プリンタＩ／Ｆ１２及びデータデコーダ／ジェネレータ２１に振り分けて、通信信号２及び通信信号３として出力する。データデコーダ／ジェネレータ２１は、マルチプレクサ２０から入力される通信信号３からストローブ信号ＳＴＢやウェイクアップコマンドを判定して、省エネモード時には、ビジー信号ＢＵＳＹや省エネ中であることを示す通知データを通信信号３としてマルチプレクサ２０に出力するとともに、省エネモードを解除してファクシミリ装置１の各部の電源をオンにするためのウェイクアップ信号ＷＵをシステム制御部５に出力する。システム制御部５は、省エネモードではない通常モードでハイ（Ｈ）となり、省エネモード時には、プルダウン抵抗Ｒｐによりロー（Ｌ）となる切換信号ＳＷをマルチプレクサ２０に出力する。そして、マルチプレクサ２０は、切換信号ＳＷがハイであるか、ローであるか、すなわち、通常モードであるか、省エネモードであるかにより、外部機器２２との信号経路をプリンタＩ／Ｆ１２とデータデコーダ／ジェネレータ２１とに切り換え、通常モード時には、外部機器２２とプリンタＩ／Ｆ１２を接続し、省エネモード時には、外部機器２２とデータデコーダ／ジェネレータ２１を接続する。
【００３０】
次に、本実施の形態の作用を説明する。ファクシミリ装置１は、外部機器２２が接続され、そのプロッタ１１を外部機器２２のプリンタとして使用可能であるとともに、受信待機中等の所定の時期に省エネ制御部１３以外の電源をオフにして、外部機器２２からストローブ信号ＳＴＢやウェイクアップコマンド等のプリント要求があると、各部の電源をオンにするとともに、電源がオンされて安定状態となったときに、その旨の信号を外部機器２２に通知するところにその特徴がある。
【００３１】
以下、この省エネ制御処理について、図３及び図４に基づいて説明する。まず、ストローブ信号ＳＴＢとダミーのプリントデータが外部機器２２から送信されてきたとき、電源をオンにして安定するまでオンのビジー信号ＢＵＳＹを外部機器２２に出力する省エネ制御処理（プリント要求受付処理）について、図３に基づいて説明する。
【００３２】
ファクシミリ装置１は、受信待機中等の所定の時期に省エネ制御部１３以外の主要部の電源をオフにする省エネモードに入り、消費電源の節約を行う。
【００３３】
システム制御部５は、通常モードにおいては、図２に示したように、省エネ制御部１３のマルチプレクサ２０にハイの切換信号ＳＷを出力し、マルチプレクサ２０は、外部機器２２からの通信信号１を通信信号２としてプリンタＩ／Ｆ１２に出力し、外部機器２２からプリント要求であるストローブ信号ＳＴＢとプリントデータがあると、当該プリント要求に応じて、外部機器２２から送られてくるプリントデータをシステム制御部５とプリンタＩ／Ｆ１２により画像データに変換し、プロッタ制御部１０に転送してプロッタ１１により記録紙に記録出力する。
【００３４】
そして、通常モードから省エネモードに入ると、システム制御部５は、システム制御部１３に出力していた切換信号ＳＷをローにし、マルチプレクサ２０は、切換信号ＳＷがローになると、外部機器２２から入力される通信信号１をデータデコーダ／ジェネレータ２１に通信信号３として出力する。
【００３５】
この省エネモードにおいて、省エネ制御部１３は、ビジー信号ＢＵＳＹをオフ、すなわち、レディ（ＲＥＡＤＹ）状態として、いつでも外部機器２２からの命令を受け付け可能な状態としている。この状態で、図３に示すように、外部機器２２からストローブ信号ＳＴＢとダミーのプリントデータが送信されてきて、ストローブ信号ＳＴＢがオンになると（ステップＳ１）、省エネ制御部１３は、データデコーダ／ジェネレータ２１がこのオンのストローブ信号ＳＴＢを判別して、ビジー信号ＢＵＳＹをオン、すなわち、ビジー（ＢＵＳＹ）状態にし（ステップＳ２）、ファクシミリ装置１の各部の電源をオンさせる（ステップＳ３）。すなわち、省エネ制御部１３は、システム制御部５にウェイクアップ信号ＷＵを出力し、システム制御部５にファクシミリ装置１の各部の電源をオンさせる。なお、外部機器２２は、ファクシミリ装置１にプリント要求を行う場合、最初のデータは、ダミーデータの書き込み（ダミーライト）を行う。
【００３６】
その後、省エネ制御部１３は、ファクシミリ装置１の初期化（システムの初期化）が完了したかチェックし（ステップＳ４）、初期化が完了していないときには、初期化が完了するのを待って、ビジー信号ＢＵＳＹをオフ、すなわち、レディ（ＲＥＡＤＹ）状態とし、外部機器２２からプリントデータを受信して、上記通常状態と同様に、プリントデータによる記録出力を行う（ステップＳ６）。
【００３７】
したがって、ファクシミリ装置１のプロッタ１１をプリンタとして利用する外部機器２２にとって、ファクシミリ装置１が省エネモードにあるときにも、ファクシミリ装置１を通常モードにモード切換させるとともに、ファクシミリ装置１からのビジー信号ＢＵＳＹにより、ファクシミリ装置１が安定して記録準備が完了したことを認識するとこができ、省エネモードにある場合にも、操作性を損なうことなく、ファクシミリ装置１を利用して適切に記録出力を行うことができる。その結果、ファクシミリ装置１の利用性を向上させることができる。そして、この省エネモードにおいては、ファクシミリ装置１は、省エネ制御部１３のみに電力を供給し、その他の各部への電力供給をオフにすることができ、大幅に消費電力を削減することができる。
【００３８】
次に、ウェイクアップ信号が外部機器２２から送信されてきたとき、電源をオンにして安定するまで、省エネ中である旨の通知データを外部機器２２に出力する省エネ制御処理（プリント要求受付処理）について、図４に基づいて説明する。
【００３９】
システム制御部５は、通常モードにおいては、上記同様に、図２に示したように、省エネ制御部１３のマルチプレクサ２０にハイの切換信号ＳＷを出力し、マルチプレクサ２０は、外部機器２２からの通信信号１を通信信号２としてプリンタＩ／Ｆ１２に出力し、外部機器２２からプリント要求としてストローブ信号とウェイクアップコマンドが入力されると、当該プリント要求に応じて、外部機器２２から送られてくる印刷データをプロッタ制御部１０に転送してプロッタ１１により記録紙に記録出力する。
【００４０】
そして、通常モードから省エネモードに入ると、システム制御部５は、システム制御部１３に出力していた切換信号ＳＷをローにし、マルチプレクサ２０は、切換信号ＳＷがローになると、外部機器２２から入力される通信信号１をデータデコーダ／ジェネレータ２１に通信信号３として出力する。
【００４１】
この省エネモードにおいて、省エネ制御部１３は、ビジー信号ＢＵＳＹをオフ、すなわち、レディ（ＲＥＡＤＹ）状態として、いつでも外部機器２２からの命令を受け付け可能な状態としている。この状態で、図４に示すように、プリント要求としてストローブ信号とウェイクアップコマンドが入力されると（ステップＰ１）、省エネ制御部１３は、データデコーダ／ジェネレータ２１によりウェイクアップコマンドを認識して、省エネ中であることを示す通知データをマルチプレクサ２０を介して外部機器２２に出力し（ステップＰ２）、ファクシミリ装置１の各部の電源をオンさせる（ステップＰ３）。すなわち、省エネ制御部１３は、システム制御部５にウェイクアップ信号ＷＵを出力し、システム制御部５にファクシミリ装置１の各部の電源をオンさせる。
【００４２】
その後、省エネ制御部１３は、ファクシミリ装置１の初期化（システムの初期化）が完了したかチェックし（ステップＰ４）、初期化が完了していないときには、ウェイクアップコマンドが入力されたかチェックする（ステップＰ５）。
【００４３】
ステップＰ５で、ウェイクアップコマンドがないときには、ステップＰ４に戻って、システムの初期化が完了したチェックし（ステップＰ４）、初期化が完了していないときには、上記同様に、ウェイクアップコマンドが入力されたかチェックする（ステップＰ５）。この省エネモードから通常モードへの移行途中であるステップＰ５で、ウェイクアップコマンドが入力されると、当該ウェイクアップコマンドを送信してきた外部機器２２に省エネ中である旨のデータを出力し（ステップＰ６）、ステップＰ４に戻って、システムの初期化が完了したかチェックする（ステップＰ４）。
【００４４】
ステップＰ５で、ウェイクアップコマンドが入力されたかをチェックしているのは、省エネモードから通常モードへの移行中にウェイクアップコマンドが入力された場合に、当該ウェイクアップコマンドを送ってきた外部機器２２に省エネモード中であり、システムの初期化が完了するまで待機することを適切に通知するためである。
【００４５】
ステップＰ４で、システムの初期化が完了すると、省エネ制御部１３は、外部機器２２にレディコマンドを送信し（ステップＰ７）、外部機器２２からプリントデータを受信して、上記通常状態と同様に、プリントデータによる記録出力を行う（ステップＰ８）。
【００４６】
したがって、外部機器２２からのプリント要求を認識する省エネ制御部１３以外の電源をオフにして消費電力を削減する省エネモード時に、外部機器２２がプリント要求としてウェイクアップコマンドを送信してくると、省エネ制御部１３が、ファクシミリ装置１の各部の電源をオンにし、外部機器２２からのウェイクアップコマンドを認識して、所定の安定状態になると、外部機器２２にレディコマンドを出力することができ、省エネモードにおいても外部機器２２からのプリント要求に応じて省エネモードを解除して、レディコマンドによりデータ通信上の信頼性を確保しつつプリントを可能とすることができる。したがって、消費電力を大幅に削減することができるとともに、外部機器２２の記録手段としての利用性をより向上させることができる。
【００４７】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００４８】
例えば、上記図４においては、省エネ制御部１３のデータデコーダ／ジェネレータ２１がウェイクアップコマンドを認識したときに、省エネモードから通常モードに移行するようにしているが、これに限るものではなく、例えば、ウェイクアップコマンドとともに送信されてくるストローブ信号を認識して省エネモードから通常モードに移行し、ウェイクアップコマンドをシステム制御部５が認識し、安定状態になると、上記レディコマンドを送信するようにしてもよい。このようにすると、データデコーダ／ジェネレータ２１を簡単な構造のものとすることができるとともに、省エネモード時にウェイクアップコマンドを認識するための部分に電力を供給する必要がなく、より一層消費電力を削減することができる。
【００４９】
また、上記実施の形態においては、ファクシミリ装置に適用した場合について説明したが、ファクシミリ装置に限るものではなく、例えば、プリンタ装置単体、複写装置及びファクシミリ、スキャナやコピー機能等を備えた複合装置等にも同様に適用することができる。
【図面の簡単な説明】
【００５０】
【図１】本発明の一実施の形態を適用したファクシミリ装置の回路ブロック図。
【図２】図１の省エネ制御部の詳細な回路図。
【図３】図１のファクシミリ装置によるストローブ信号による省エネモード時のプリント要求受付処理を示すフローチャート。
【図４】図１のファクシミリ装置によるウェイクアップコマンドによる省エネモード時のプリント要求受付処理を示すフローチャート。
【符号の説明】
【００５１】
１  ファクシミリ装置
２  スキャナ
３  操作表示部
４  符号化・復号化部
５  システム制御部
６  モデム
７  通信制御部
８  網制御部
９  ハンドセット
１０  プロッタ制御部
１１  プロッタ
１２  プリンタＩ／Ｆ
１３  省エネ制御部
１４  バス
２０  マルチプレクサ（ＭＰＸ）
２１  データデコーダ／ジェネレータ
２２  外部機器
Ｒｐ  プルダウン抵抗